(57)【要約】【課題】  本発明はレーザダイオードの特性にばらつきがある場合でも再生信号の品質の低下を防止できるようにする。【解決手段】  本発明は、光ピックアップ１において、レーザダイオード３から出射された光ビームの光量Ｐ１を測定するステップＳＰ２と、レーザダイオード３から出射され、１／２波長板５、アパーチャ１０、偏光ビームスプリッタ８、アパーチャ１４を順次透過した光ビームの光量Ｐ２を測定するステップＳＰ４と、１／２波長板５の回転角度θを調整することにより偏光ビームスプリッタ８における光透過率を変化させ、光量Ｐ１に対する光量Ｐ２の比率を所定の値に合わせるステップＳＰ４とを設けるようにしたことにより、１／２波長板５の回転角度を調整することによって、光ピックアップ１の光結合効率のばらつきを抑えることができる。【選択図】        図２
2005135491.tif 000002
【特許請求の範囲】
【請求項１】
光ビームを出射する光源と、光学軸を有する波長板と、上記波長板を透過した上記光ビームを透過及び分光させる偏光ビームスプリッタと、上記光ビームの一部を遮るアパーチャとを有する光ピックアップを調整する光ピックアップ調整方法において、
上記光源から出射され、上記偏光ビームスプリッタ及び上記アパーチャを通過する前の上記光ビームの光量を第１の光量として測定する第１の光量測定ステップと、
上記光源から出射され、上記波長板と、上記偏光ビームスプリッタと、上記アパーチャとを通過した上記光ビームの光量を第２の光量として測定する第２の光量測定ステップと、
上記第２の光量を測定する際に、上記光ビームの光軸を中心として上記波長板の回転角度を調整することにより、上記偏光ビームスプリッタにおける光ビームを透過させる割合を変化させ、上記第１の光量に対する上記第２の光量の比率を所定の値に合わせる光量比率調整ステップと
を具えることを特徴とする光ピックアップ調整方法。
【請求項２】
上記アパーチャは、上記光源と上記波長板との間に設置される第１のアパーチャと、上記偏光ビームスプリッタに対して上記波長板と反対側に設置される第２のアパーチャとによって構成される
ことを特徴とする請求項１に記載の光ピックアップ調整方法。
【請求項３】
上記第２の光量測定ステップは、上記光源から出射され、上記波長板と、上記第１及び第２のアパーチャの機能を合わせて有する調整用アパーチャと、上記偏光ビームスプリッタとを透過した光ビームの光量を測定する
ことを特徴とする請求項２に記載の光ピックアップ調整方法。
【請求項４】
上記第１及び第２の光量測定ステップは、上記光源の出力を常に一定に保つ自動利得制御により上記光源から出射される上記光ビームの出力が一定に保たれた状態で光量を測定する
ことを特徴とする請求項１に記載の光ピックアップ調整方法。
【請求項５】
上記第１の光量測定ステップは、上記光ピックアップを組み立てる際に、上記波長板、上記偏光ビームスプリッタ及び上記アパーチャを取り付ける前に行われ、
上記第２の光量測定ステップは、上記波長板、上記偏光ビームスプリッタ及び上記アパーチャを一時的に取り付けた状態で行われる
ことを特徴とする請求項１に記載の光ピックアップ調整方法。
【請求項６】
上記光源は、波長が４５０［ｎｍ］以下のレーザ光を出射する
ことを特徴とする請求項１に記載の光ピックアップ調整方法。
【請求項７】
光ビームを出射する光源と、光学軸を有する波長板と、上記波長板を透過した上記光ビームを透過及び分光させる偏光ビームスプリッタと、上記光ビームの一部を遮るアパーチャとを有する光ピックアップを調整する光ピックアップ調整方法において、
上記光源の駆動電流を変化させながら、上記光源から出射され上記偏光ビームスプリッタ及び上記アパーチャを通過する前の上記光ビームの光量を測定して第１の駆動電流−光量特性曲線を作成し、当該第１の駆動電流−光量特性曲線のうち上記光源の発振領域の傾きを第１の傾きとして算出する第１の傾き算出ステップと、
上記光源の駆動電流を変化させながら、上記光源から出射され、上記波長板と、上記偏光ビームスプリッタと、上記アパーチャとを通過した上記光ビームの光量を測定して第２の駆動電流−光量特性曲線を作成し、当該第２の駆動電流−光量特性曲線のうち上記光源の発振領域の傾きを第２の傾きとして算出する第２の傾き算出ステップと、
上記光ビームの光軸を中心として上記波長板の回転角度を調整することにより上記偏光ビームスプリッタにおける光ビームを透過させる割合を変化させながら上記第２の駆動電流−光量特性曲線を作成し、上記第１の傾きに対する上記第２の傾きの比率を所定の値に合わせる傾き比率調整ステップと
を具えることを特徴とする光ピックアップ調整方法。
【請求項８】
上記アパーチャは、上記光源と上記波長板との間に設置される第１のアパーチャと、上記偏光ビームスプリッタに対して上記波長板と反対側に設置される第２のアパーチャとによって構成される
ことを特徴とする請求項７に記載の光ピックアップ調整方法。
【請求項９】
上記第２の傾き算出ステップは、上記光源から出射され、上記波長板と、上記第１及び第２のアパーチャの機能を合わせて有する調整用アパーチャと、上記偏光ビームスプリッタとを透過した光ビームの光量を測定して第２の電流−光量特性曲線を作成する
ことを特徴とする請求項８に記載の光ピックアップ調整方法。
【請求項１０】
上記第１の光量測定ステップは、上記光ピックアップを組み立てる際に、上記波長板、上記偏光ビームスプリッタ及び上記アパーチャを取り付ける前に行われ、
上記第２の光量測定ステップは、上記波長板、上記偏光ビームスプリッタ及び上記アパーチャを一時的に取り付けた状態で行われる
ことを特徴とする請求項７に記載の光ピックアップ調整方法。
【請求項１１】
上記光源は、波長が４５０［ｎｍ］以下のレーザ光を出射するレーザ光源である
ことを特徴とする請求項７に記載の光ピックアップ調整方法。
【請求項１２】
光ビームを出射する光源と、光学軸を有する波長板と、上記波長板を透過した上記光ビームを透過及び分光させる偏光ビームスプリッタと、上記光ビームの一部を遮るアパーチャとを有する光ピックアップを調整する光ピックアップ調整方法において、
予め測定された上記光源の発散角及び上記アパーチャのサイズを基に、上記光源から出射される光ビームのうち、上記偏光ビームスプリッタを透過し上記アパーチャを通過する光ビームの割合を有効利用率として算出する有効利用率算出ステップと、
上記光源から出射した上記光ビームの全光量に対して上記偏光ビームスプリッタを透過し上記アパーチャを通過する上記光ビームの光量の割合を所定の値にするように、上記光ビームの光軸を中心とした上記波長板の回転角度と上記有効利用率との関係について予め作成された特性曲線を用いて、上記有効利用率に基づいて当該回転角度を決定する回転角度決定ステップと、
上記波長板を上記回転角度に合わせて固定する波長板固定ステップと
を具えることを特徴とする光ピックアップ調整方法。
【請求項１３】
上記特性曲線は、
上記有効利用率に応じて設定すべき上記偏光ビームスプリッタが透過させる光ビームの割合（以下、これを光透過率と呼ぶ）の関係と、上記光ビームの光軸を中心とした上記波長板の回転角度に対する当該光透過率の関係とから作成された
ことを特徴とする請求項１２に記載の光ピックアップ調整方法。
【請求項１４】
上記発散角は、上記光源のファーフィールドパターンとして測定され、
上記有効利用率は、上記ファーフィールドパターンに基づいて算出される
ことを特徴とする請求項１２に記載の光ピックアップ調整方法。
【請求項１５】
光ビームを出射する光源と、
光学軸を有する波長板と、
上記波長板を透過した上記光ビームを透過及び分光させる偏光ビームスプリッタと、
上記光ビームの一部を遮るアパーチャと
を具え、
上記波長板は、
上記光ビームの光軸を中心とした回転角度を調整して上記偏光ビームスプリッタにおける光ビームを透過させる割合を調整することによって、上記光源から出射された光ビームの光量に対して、上記光源から出射されて当該波長板、上記偏光ビームスプリッタ、及び上記アパーチャを透過した光ビームの光量の比率を所定の値に合わせた
ことを特徴とする光ピックアップ。
【請求項１６】
上記光源は、波長が４５０［ｎｍ］以下のレーザ光を出射するレーザ光源である
ことを特徴とする請求項１５に記載の光ピックアップ。
【請求項１７】
光ビームを出射する光源と、
光学軸を有する波長板と、
上記波長板を透過した上記光ビームを透過及び分光させる偏光ビームスプリッタと、
上記光ビームの一部を遮るアパーチャと
を具え、
上記波長板は、
上記光ビームの光軸を中心とした回転角度を調整して上記偏光ビームスプリッタにおける上記光ビームを透過させる割合を調整することによって、上記光源の駆動電流を変化させて上記光源から出射される光ビームの光量を測定したときの駆動電流−光量特性曲線の発振領域における傾きに対して、上記光源の駆動電流を変化させて上記光源から出射されて当該波長板及び上記偏光ビームスプリッタを順次透過した光ビームの光量を測定したときの駆動電流−光量特性曲線の発振領域における傾きの比率を所定の値に合わせた
ことを特徴とする光ピックアップ。
【請求項１８】
上記光源は、波長が４５０［ｎｍ］以下のレーザ光を出射するレーザ光源である
ことを特徴とする請求項１７に記載の光ピックアップ。
【発明の詳細な説明】
【技術分野】
【０００１】
本発明は光ピックアップ調整方法及び光ピックアップに関し、例えば光ディスク記録再生装置に適用して好適なものである。
【背景技術】
【０００２】
従来、光ディスク記録再生装置に搭載される光ピックアップにおいては、レーザダイオードから出射した光ビームを用いて光ディスクに対して信号の記録及び再生を行っている。
【０００３】
例えば図１５に示す光ピックアップ１は、光集積素子２内のベース板２Ａと部品取付部材２Ｂとが一体で成型されたパッケージ２Ｃ上にマウントされたレーザダイオード３から出射した出射光ビームＬ１を、立ち上げミラー４によってベース板２Ａの反対方向へ反射し、１／２波長板５、モールド複合素子６上に設けられたグレーティング７、偏光ビームスプリッタ８を順次介して、コリメータレンズ９へ照射する（例えば、特許文献１参照）。
【０００４】
ここで図１６に示すように、レーザダイオード３は、出射光のファーフィールドパターン（離隔位置における光量の強度分布）がガウシアン分布となるために、光軸の中心付近では光量が大きいが光軸から離れるに従って光量が小さくなってしまう。
【０００５】
そのため光ピックアップ１は、光軸から離れた光量の小さいエリアまでを使用すると、対物レンズ１５を介して光ディスク２０へ照射する光ビームの見かけ上の開口数が小さくなってしまい、当該光ビームを十分に絞り込むことができなくなってしまう。
【０００６】
そこで光ピックアップ１は、光ディスク２０へ適切な強度分布の光ビームを照射するために、光量の大きい光軸の中心から所定距離以内の部分のみを有効エリアとして使用するべくアパーチャ１０等により開口制限を行っているが、その結果当該有効エリア以外の光ビームを無駄にすることにもなる。
【０００７】
ところで近年の高密度記録化に対する要求に伴い、光集積素子のレーザ光源として短波長の青紫色レーザダイオードが用いられるようになっている。かかる青紫色レーザダイオードは、光ディスク面上におけるビーム径を従来に比して小さくすることができるという特徴を有するため、高密度記録化に大きく貢献するが、赤色レーザダイオードと比較すると、同じ光パワーを出すために必要な投入電力が大きくなってしまう。
【０００８】
そのため光ピックアップ１は、レーザダイオード３の出射全光量に対して光ディスク２０上に照射される光ビームの光量の割合（以下これを光結合効率と呼ぶ）を高めることにより、必要な光量を得られる範囲で無駄な光ビームの割合を削減して、レーザダイオード３の消費電力を下げるようになされている。
【特許文献１】特開２００１−９３１８３公報（第５頁、第１図）
【発明の開示】
【発明が解決しようとする課題】
【０００９】
ここで、実際上レーザダイオード３においては、どうしてもその特性にばらつきを有してしまう。
【００１０】
例えば図１７に示すように、光ピックアップ１のレーザダイオード３は、発散角（出射光ビームＬ１ａが広がる角度）にばらつきを有する場合があり、当該発散角が小さい場合（図１７（Ａ））、アパーチャ１０を通過する出射光ビームＬ１ｂの割合が高いため、相対的に光結合効率が高くなる。これに対して当該発散角が大きい場合（図１７（Ｂ））、アパーチャ１０を通過する出射光ビームＬ１ｂの割合が低いため、相対的に光結合効率が低くなる。
【００１１】
ここで光ピックアップ１は、信号記録時において、レーザダイオード３から出射されて光ディスク２０へ照射される出射光ビームＬ１の強度を所定レベル以上にする必要があるため、光結合効率が最も低い、すなわち発散角が最も大きい場合（例えば図１７（Ｂ））に合わせてアパーチャ１０の開口面積を決定する。
【００１２】
このため、レーザダイオード３の発散角が最も小さい、すなわち当該光ピックアップ１の光結合効率が最も高い場合には（例えば図１７（Ａ））、当該レーザダイオード３から出射される出射光ビームＬ１の強度が上記所定レベルより遙かに上回ることになる。
【００１３】
一方光ピックアップ１は、信号再生時においては、光ディスク２０に照射される出射光ビームＬ１の強度を所定レベル以下に抑える必要がある。このため光ピックアップ１は、再生時にレーザダイオード３の駆動電流を記録時よりも減らすことによって、光ディスク２０に照射される出射光ビームＬ１の強度を下げるようになされている。
【００１４】
しかし光ピックアップ１は、特にレーザダイオード３の発散角が小さい、すなわち当該光ピックアップ１の光結合効率が高い場合（例えば図１７（Ａ））、記録時のレーザダイオード３の元出射パワーが大きいために、再生時の当該レーザダイオード３の元出射パワーを一段と低く抑える必要がある。
【００１５】
このとき光ピックアップ１は、レーザダイオード３の駆動電流を減らすことによって元出射パワーを下げて光ディスク２０に照射される出射光ビームＬ１の強度を抑えることができるが、このとき図１８に示すように、元出射パワーを下げた場合に相対的なレーザノイズが増加してしまうため、再生信号の品質が低下してしまうという問題があった。
【００１６】
本発明は以上の点を考慮してなされたもので、レーザダイオードの特性にばらつきがある場合でも再生信号の品質の低下を防止し得る光ピックアップを提案しようとするものである。
【課題を解決するための手段】
【００１７】
かかる課題を解決するため本発明においては、光ビームを出射する光源と、光学軸を有する波長板と、波長板を透過した光ビームを透過及び分光させる偏光ビームスプリッタと、光ビームの一部を遮るアパーチャとを有する光ピックアップを調整する光ピックアップ調整方法において、光源から出射され、偏光ビームスプリッタ及びアパーチャを通過する前の光ビームの光量を第１の光量として測定する第１の光量測定ステップと、光源から出射され、波長板と、偏光ビームスプリッタと、アパーチャとを通過した光ビームの光量を第２の光量として測定する第２の光量測定ステップと、第２の光量を測定する際に、光ビームの光軸を中心として波長板の回転角度を調整することにより、偏光ビームスプリッタにおける光ビームを透過させる割合を変化させ、第１の光量に対する第２の光量の比率を所定の値に合わせる光量比率調整ステップとを設けるようにしたことにより、波長板の回転角度を調整することによって、光源から出射する光量と偏光ビームスプリッタ及び他の光学部品を透過する光量との比率を所定値に合わせることができ、光ピックアップの光結合効率のばらつきを抑えることができる。
【００１８】
また本発明においては、光ビームを出射する光源と、光学軸を有する波長板と、波長板を透過した上記光ビームを透過及び分光させる偏光ビームスプリッタと、光ビームの一部を遮るアパーチャとを有する光ピックアップを調整する光ピックアップ調整方法において、光源の駆動電流を変化させながら、光源から出射され偏光ビームスプリッタ及びアパーチャを通過する前の光ビームの光量を測定して第１の駆動電流−光量特性曲線を作成し、当該第１の駆動電流−光量特性曲線のうち光源の発振領域の傾きを第１の傾きとして算出する第１の傾き算出ステップと、光源の駆動電流を変化させながら、光源から出射され、波長板と、偏光ビームスプリッタと、アパーチャとを通過した光ビームの光量を測定して第２の駆動電流−光量特性曲線を作成し、当該第２の駆動電流−光量特性曲線のうち光源の発振領域の傾きを第２の傾きとして算出する第２の傾き算出ステップと、光ビームの光軸を中心として波長板の回転角度を調整することにより偏光ビームスプリッタにおける光ビームを透過させる割合を変化させながら第２の駆動電流−光量特性曲線を作成し、第１の傾きに対する第２の傾きの比率を所定の値に合わせる傾き比率調整ステップとを設けるようにしたことにより、波長板の回転角度を調整することによって、光源から出射する光量と偏光ビームスプリッタ及び他の光学部品を透過する光量との比率を所定値に合わせることができ、光ピックアップの光結合効率のばらつきを抑えることができる。
【００１９】
さらに本発明においては、光ビームを出射する光源と、光学軸を有する波長板と、波長板を透過した光ビームを透過及び分光させる偏光ビームスプリッタと、光ビームの一部を遮るアパーチャとを有する光ピックアップを調整する光ピックアップ調整方法において、予め測定された光源の発散角及びアパーチャのサイズを基に、光源から出射される光ビームのうち、偏光ビームスプリッタを透過しアパーチャを通過する光ビームの割合を有効利用率として算出する有効利用率算出ステップと、光源から出射した光ビームの全光量に対して偏光ビームスプリッタを透過しアパーチャを通過する光ビームの光量の割合を所定の値にするように、光ビームの光軸を中心とした波長板の回転角度と有効利用率との関係について予め作成された特性曲線を用いて、有効利用率に基づいて当該回転角度を決定する回転角度決定ステップと、波長板を回転角度に合わせて固定する波長板固定ステップとを設けるようにしたことにより、波長板の回転角度を調整することによって、光源から出射する光量と偏光ビームスプリッタ及び他の光学部品を透過する光量との比率を所定値に合わせることができ、光ピックアップの光結合効率のばらつきを抑えることができる。
【発明の効果】
【００２０】
本発明によれば、波長板の回転角度を調整することによって、光源から出射する光量と偏光ビームスプリッタ及び他の光学部品を透過する光量との比率を所定値合わせて光ピックアップの光結合効率のばらつきを抑えることができ、光源の特性にばらつきがある場合でも再生信号の品質の低下を防止し得る光ピックアップ調整方法及び光ピックアップを実現できる。
【発明を実施するための最良の形態】
【００２１】
以下、図面について、本発明の一実施の形態を詳述する。
【００２２】
（１）第１の実施の形態
図１５との対応部分に同一符号を付した図１に示すように、光ピックアップ１は光集積素子２のレーザダイオード３から出射した出射光ビームＬ１（実際には青紫色レーザ光）を、立ち上げミラー４によってベース板２Ａの反対方向へ反射し、１／２波長板５、モールド複合素子６上のグレーティング７、及び偏光ビームスプリッタ８を順次介して、コリメータレンズ９へ照射する。
【００２３】
続いて光ピックアップ１は、コリメータレンズ９によって平行光とした出射光ビームＬ１を、光ビームの一部を遮るアパーチャ１０、光ビームの形状を楕円形から円形に変換するアナモプリズム１１、光ビームの球面収差を補正するエキスパンダ１２、光ビームを円偏光に変換する１／４波長板１３、光ビームの一部を遮るアパーチャ１４、及び光ビームを集光する対物レンズ１５を順次介して、光ディスク２０へ照射する。
【００２４】
また光ピックアップ１は、出射光ビームＬ１が光ディスク２０で反射した反射光ビームＬ２を、対物レンズ１５、アパーチャ１４、１／４波長板１３、エキスパンダ１２、アナモプリズム１１、アパーチャ１０、及びコリメータレンズ９を順次介して、光集積素子２の偏光ビームスプリッタ８へ入射させる。
【００２５】
ここで光ピックアップ１は、偏光ビームスプリッタ８の偏光ビームスプリッタ膜８Ａによって反射した反射光ビームＬ２を再度ミラー膜８Ｂによって反射させ、モールド複合素子６上のホログラム１６を介してフォトディテクタ１７へ照射し、当該フォトディテクタ１７によって光量を検出するようになされている。
【００２６】
同時に光ピックアップ１は、レーザダイオード３から出射した出射光ビームＬ１の一部を、立ち上げミラー４を透過しリッド１９で反射してフォトディテクタ１８によって検出しており、このときフォトディテクタ１８で検出した光量に基づいてレーザダイオード３を制御することにより、当該レーザダイオード３の光出力レベルを一定に保つようになされている。
【００２７】
ところで本実施の形態による光ピックアップ調整方法は、光ピックアップ１の組立段階において、レーザダイオード３の個々に異なる特性に応じて１／２波長板５を取り付ける際の回転角度を調整するようになされており、このときの光ピックアップ組立調整手順について、図２のフローチャートを用いて詳細に説明する。
【００２８】
すなわち光ピックアップ組立調整手順は、ルーチンＲＴ１の開始ステップから入ってステップＳＰ１へ移る。ステップＳＰ１において、図３（Ａ）に示すように、光集積素子２内のベース板２Ａの両側に部品取付部材２Ｂがモールド成型されたパッケージ２Ｃに対し、レーザダイオード３、立ち上げミラー４、フォトディテクタ１７及び１８、リッド１９を取り付けて、次のステップＳＰ２へ移る。
【００２９】
ステップＳＰ２において、光ピックアップ１のレーザダイオード３から出射光ビームＬ１を出射させ、立ち上げミラー４によってベース板２Ａの反対側へ反射された出射光ビームＬ１の光量（以下これを第１の光量と呼ぶ）を、光量測定器３１で測定して次のステップＳＰ３へ移る。
【００３０】
このときレーザダイオード３から出射される出射光ビームＬ１は、フォトディテクタ１８による光検出量に基づいて制御されるため、常に一定の強度を維持するようになされている。
【００３１】
ステップＳＰ３において、図３（Ｂ）に示すように、光ピックアップ１に１／２波長板５及び他の各光学部品を次の測定のために仮組して、次のステップＳＰ４へ移る。
【００３２】
ところで図４に模式的に示すように、光ピックアップ１は、レーザダイオード３から発射された出射光ビームＬ１を、立ち上げミラー４で反射して１／２波長板５を通過させ、さらに偏光ビームスプリッタ８を透過させる。ここで立ち上げミラー４で反射された出射光ビームＬ１は、矢印ｘ方向の偏光方向を有しており、一方１／２波長板５は矢印ｘ方向と角度θをなす方向に光学軸を有している。
【００３３】
このとき図５に示すように、光ピックアップ１は、出射光ビームＬ１の光軸を中心とした１／２波長板５の回転角度θに応じて、１／２波長板５を通過した出射光ビームＬ１が偏光ビームスプリッタ８を透過する割合（すなわち光透過率）が変化するため、当該１／２波長板５の回転角度θを変化させることによって、当該偏光ビームスプリッタ８の光透過率を変化させることができる。
【００３４】
そこで、ステップＳＰ４において、光ピックアップ１の１／２波長板５の回転角度を変化させることにより、偏光ビームスプリッタ８と同等の特性を有する偏光ビームスプリッタ３２の光透過率を調整しながら（図３（Ｂ））、レーザダイオード３から出射光ビームＬ１を出射させて、立ち上げミラー４、１／２波長板５及びコリメータレンズ９、アパーチャ１０、偏光ビームスプリッタ３２を介し、さらに他の光学部品を介した後の出射光ビームＬ１の光量（以下これを第２の光量と呼ぶ）を光量測定器３１によって測定する。そして、第１の光量に対する第２の光量の比率が所定値（例えば０．１５）になる状態で当該１／２波長板５の回転角度を仮固定し、次のステップＳＰ５へ移る。
【００３５】
このとき、レーザダイオード３の個体差によって光ピックアップ１の光結合効率がばらつく可能性があったとしても（図１７）、１／２波長板５の回転角度を調整して偏光ビームスプリッタ３２の光透過率を変化させることによって、レーザダイオード３から出射される出射光ビームＬ１の第１の光量と偏光ビームスプリッタ３２及び他の光学部品を透過する出射光ビームＬ１の第２の光量との比率を所定値（例えば０．１５）に合わせることができる。
【００３６】
ステップＳＰ５において、光ピックアップ１に仮組した各光学部品を一度取り外した後、１／２波長板５の回転角度を維持したまま当該１／２波長板５を部品取付部材２Ｂに取付固定し、次のステップＳＰ６へ移る。
【００３７】
ステップＳＰ６において、光ピックアップ１にモールド複合素子６（図１）等の他の各部品を取り付けることによって組立を終了し、次のステップＳＰ７へ移って当該光ピックアップ組立調整手順を終了する。
【００３８】
以上の構成において、光ピックアップ１は、組立の段階で１／２波長板５の回転角度を変化させて偏光ビームスプリッタ３２の光透過率を調整することにより、レーザダイオード３から出射される出射光ビームＬ１の第１の光量と偏光ビームスプリッタ３２及び他の光学部品を透過する出射光ビームＬ１の第２の光量との比率を所定値（例えば０．１５）に合わせることができるので、所定の光結合効率（例えば０．１５）を得ることができる。
【００３９】
また光ピックアップ１は、レーザダイオード３の発散角のばらつきに関わらず、当該レーザダイオード３から出射される出射光ビームＬ１の第１の光量と偏光ビームスプリッタ３２及び他の光学部品を透過する出射光ビームＬ１の第２の光量との比率を所定値（例えば０．１５）に合わせることができるので、仮に当該レーザダイオード３の発散角が小さく光結合効率が大きい場合であっても（図１７（Ａ））、１／２波長板５の回転角度の調整によって偏光ビームスプリッタ３２（すなわち偏光ビームスプリッタ８）の光透過率を低くできるため、信号再生時にレーザダイオード３の元出射パワーを大幅に抑えること無く所定レベル以下の光量を光ディスク２０に照射できるので、相対レーザノイズを増加させることがない（図１８）。
【００４０】
以上の構成によれば、光ピックアップ１は、１／２波長板５の回転角度を変化させて偏光ビームスプリッタ８の光透過率を調整することによって、所定の光結合効率（例えば０．１５）を得ることができるので、レーザダイオード３の発散角のばらつきに関わらず、信号記録時に必要な光量を光ディスク２０に照射し得ると共に、再生時に元出射パワーを大幅に下げる必要がないために相対レーザノイズを少なくすることができ、再生信号の品質の低下を防止することができる。
【００４１】
（２）第２の実施の形態
次に、本発明の第２の実施の形態について説明する。上述した第１の実施の形態では、光ピックアップ１（図１）の組立段階において、レーザダイオード３から出射する光ビームと、偏光ビームスプリッタ３２及び他の光学部品を透過する光ビームとについて、光量の比を用いて１／２波長板５の回転角度を調整したが（図３）、これに対して第２の実施の形態では、それぞれの光ビームについて、レーザダイオード３の駆動電流と光量との特性曲線を作成し、この特性曲線の傾きの比を用いて当該１／２波長板５の回転角度を調整するようになされており、このときの光ピックアップ組立調整手順について、図６のフローチャートを用いて詳細に説明する。
【００４２】
すなわち光ピックアップ組立調整手順は、ルーチンＲＴ２の開始ステップから入ってステップＳＰ１１へ移る。ステップＳＰ１１において光ピックアップ１は、ステップＳＰ１（図２）と同様に、図３（Ａ）に示すように光集積素子２内のベース板２Ａに部品取付部材２Ｂがモールド成型されたパッケージ２Ｃに対し、レーザダイオード３、立ち上げミラー４、フォトディテクタ１７及び１８、リッド１９が取り付けられて、次のステップＳＰ１２へ移る。
【００４３】
ステップＳＰ１２において、レーザダイオード３に対して駆動電流Ｉを増加させながら供給し、同時に光量測定器３１によって出射光Ｌ１の光量Ｐ（第１の光量）を測定することによって、図７（Ａ）に示すように、駆動電流Ｉがある程度以上流れると光量Ｐが急激に増加する（以下この部分を発振領域と呼ぶ）ような特性曲線Ｅ１を取得し、次のステップＳＰ１３へ移る。
【００４４】
ちなみに、光ピックアップ１における駆動電流Ｉと光量Ｐとの特性曲線Ｅは、非常に短時間（例えば１秒以内）で取得できるようになされている。
【００４５】
ステップＳＰ１３において、ステップＳＰ３（図２）と同様に、光ピックアップ１に１／２波長板５及び他の各光学部品を次の測定のために仮組し（図３（Ｂ））、ステップＳＰ１４へ移る。
【００４６】
ステップＳＰ１４において、ステップＳＰ１２と同様に、レーザダイオード３に対して駆動電流Ｉを増加させながら供給して出射光ビームＬ１を出射させ、立ち上げミラー４、１／２波長板５、コリメータレンズ９、アパーチャ１０、偏光ビームスプリッタ８と同等の特性を有する偏光ビームスプリッタ３２、及び他の光学部品を介した後の出射光ビームＬ１の光量Ｐ（第２の光量）を光量測定器３１によって測定して、図７（Ａ）に示すような駆動電流−光量特性曲線Ｅ２Ａを取得する。
【００４７】
さらに、１／２波長板５の回転角度を所定角度ずつ変化させながら複数回に渡って特性曲線Ｅ２（Ｅ２Ｂ、Ｅ２Ｃ、…）を取得し、例えば傾きＪ１に対して所定の比率（例えば０．１５）となる傾きＪ２Ｂを持つ特性曲線Ｅ２Ｂを選択し、このときの１／２波長板５の回転角度を仮固定して、次のステップＳＰ１５へ移る。
【００４８】
ここで、一般にレーザダイオードは、駆動電流が流されてレーザ光を出射し続けるとその温度が上昇し、これにより駆動電流−光量特性曲線が変化してしまう。特に、赤色・赤外レーザの場合は、図８（Ａ）に示すように温度の変化に伴って駆動電流−光量特性曲線自体が変化すると共に発振領域の傾きも変化してしまう。
【００４９】
これに対してレーザダイオード３のような青紫色レーザダイオードの場合は、図８（Ｂ）に示すように、温度が変化すると駆動電流−光量特性曲線自体は変化するが、発振領域の傾きはほとんど変化しない。
【００５０】
実際上、ステップＳＰ１４において特性曲線Ｅ２（Ｅ２Ａ、Ｅ２Ｂ、…）を測定する場合、時間の経過に伴ってレーザダイオード３の温度が特性曲線Ｅ１の測定時よりも上昇してしまう。このとき、レーザダイオード３が温度上昇した場合の特性曲線Ｅ３及びＥ４Ａ〜Ｅ４Ｃ（図７（Ｂ））は、レーザダイオード３が常温の場合の特性曲線Ｅ１及びＥ２Ａ〜Ｅ２Ｃ（図７（Ａ））が変化したものであるが、それぞれ対応する特性曲線同士の発振領域における傾きはほとんど変化せず、同一と見なすことができる。
【００５１】
そこで、常温において特性曲線Ｅ４Ｂと同じ傾きＪ２Ｂを有する特性曲線Ｅ２Ｂについて着目すると、当該特性曲線Ｅ２Ｂは、偏光ビームスプリッタ３２の光透過率及びアパーチャ１０（図１）の開口サイズ等に応じて特性曲線Ｅ１を一様に変化（光量Ｐ軸方向に縮小）させたものであり、また傾きＪ１と傾きＪ２Ｂとは所定の比率（例えば０．１５）となっている。
【００５２】
すなわち、特性曲線Ｅ１とＥ２Ｂとが示す光量Ｐの値同士は、常に所定の比率（例えば０．１５）を保持することになり、その結果、レーザダイオード３から出射される光ビームの光量と偏光ビームスプリッタ３２及び他の光学部品を透過した後の光ビームの光量との比率（すなわち光結合効率）は、常に所定値（例えば０．１５）となることになる。
【００５３】
このように、光ピックアップ１の特性の測定中にレーザダイオード３の温度が変化して特性曲線そのものが変化する場合であっても、光ピックアップ１の駆動電流−光量特性曲線の発振領域における傾きはほとんど変化しないため、当該傾きに着目することによって、偏光ビームスプリッタ３２の光透過率（すなわち１／２波長板５の回転角度）を常に適切に決定することができる。
【００５４】
ステップＳＰ１５において、ステップＳＰ５（図２）と同様に、ステップＳＰ１３において光ピックアップ１に仮組した各光学部品を一度取り外した後、１／２波長板５の回転角度を維持したまま当該１／２波長板５を部品取付部材２Ｂに取付固定し、次のステップＳＰ１６へ移る。
【００５５】
ステップＳＰ１６において、光ピックアップ１にモールド複合素子６（図１）等の他の各部品を取り付けることによって組立を終了し、次のステップＳＰ１７へ移って当該光ピックアップ組立調整手順を終了する。
【００５６】
以上の構成において、光ピックアップ１は、組立の段階において１／２波長板５の回転角度を変化させて偏光ビームスプリッタ３２の光透過率を調整し、レーザダイオード３から出射される光ビームの駆動電流−光量特性曲線Ｅ１の傾きＪ１と偏光ビームスプリッタ３２及び他の光学部品を透過した後の光ビームの駆動電流−光量特性曲線Ｅ２（Ｅ４）の傾きＪ２との比率を所定の値に合わせることにより、当該レーザダイオード３の発散角のばらつきに関わらず、レーザダイオード３から出射される光ビームの光量に対する偏光ビームスプリッタ３２及び他の光学部品を透過した後の光ビームの光量の比（すなわち光ピックアップ１の光結合効率）を所定値に合わせることができる。
【００５７】
また光ピックアップ１は、レーザダイオード３から出射される光ビームと偏光ビームスプリッタ３２（すなわち偏光ビームスプリッタ８）及び他の光学部品を透過した後の光ビームとを比較する際に、レーザダイオードの駆動電流Ｉとそのときの光量Ｐとの特性曲線Ｅの傾きＪを所定の比率に合わせるようにしたことにより、調整時における当該レーザダイオード３の温度変化の影響を受けることなく、駆動電流Ｉの変化に対する光量Ｐの変化の割合を一定に揃えることができる。
【００５８】
以上の構成によれば、光ピックアップ１は、１／２波長板５の回転角度を変化させて偏光ビームスプリッタ８の光透過率を調整することによって、温度変化の影響をほとんど受けることなく当該光ピックアップ１の光結合効率を所定の値に合わせることができるので、レーザダイオード３の発散角のばらつきに関わらず、信号記録時に必要な光量を出射し得ると共に再生時に出射する光量を減らした場合でも相対的レーザノイズを少なくすることができ、再生信号の品質の低下を防止することができる。
【００５９】
（３）第３の実施の形態
第３の実施の形態においては、光ピックアップ１の構成は第１の実施の形態と同様であるが（図１）、その組立調整手順が上述した第１及び第２の実施の形態とは異なっており、光ピックアップ１の組立段階において、予め測定したレーザダイオード３の特性のみを用いて１／２波長板５の回転角度を決定するようになされており、このときの光ピックアップ組立調整手順について、図９のフローチャートを用いて詳細に説明する。
【００６０】
まず光ピックアップ１は、ルーチンＲＴ３の開始ステップから入ってステップＳＰ２１へ移る。ステップＳＰ２１において光ピックアップ１は、図１６に示すように、レーザダイオード３の製造時に測定されたファーフィールドパターンを利用して、ファーフィールドパターンＦＦＰ１及びＦＦＰ２と「光軸からの距離」軸とでそれぞれ囲まれた部分の面積に基づいてレーザダイオード３から出射される全光量を算出する。
【００６１】
ところで光ピックアップ１は、レーザダイオード３からの出射光の一部がアパーチャ１０及び１４（図１）によって遮られるため、実際に光ディスク２０に照射される光は図１６に有効エリアとして示した範囲のみとなる。また光ピックアップ１では、アパーチャ１０及び１４のサイズが固定されているため、レーザダイオード３の特性のばらつきによってファーフィールドパターンＦＦＰ１及びＦＦＰ２が変化しても、有効エリアの絶対的な大きさは固定されたまま変化しない。
【００６２】
そこで、光ピックアップ１の有効エリアに対応する部分の面積（図１６に斜線で示した部分）に基づいて、対物レンズ１５から照射される光ビームの光量（以下これを有効光量と呼ぶ）を算出し、さらに当該有効光量とレーザダイオード３から出射される全光量（以下これを全光量と呼ぶ）との比をファーフィールドパターンＦＦＰ１及びＦＦＰ２の全面積と有効エリアに対応する部分の面積より有効利用率βとして算出して、次のステップＳＰ２２へ移る。
【００６３】
ちなみに有効利用率βは、光ピックアップ１の偏光ビームスプリッタ８の光透過率を１とした（すなわち光ビームを完全に透過する）場合の光結合効率を表すことになり、当該有効利用率βはレーザダイオード３の特性（発散角）のばらつきに応じて変化することになる。
【００６４】
ステップＳＰ２２において、有効利用率β（例えば０．２）及び所定の光結合効率Ｆ（例えば０．１５）に基づき、光ピックアップ１の１／２波長板５の回転角度θを決定する。
【００６５】
例えば、光ピックアップ１の有効利用率β（０．２）を０．７５倍することによって所定の光結合効率Ｆ（０．１５）を得ることができるので、これはすなわち偏光ビームスプリッタ８の光透過率をＦ／β＝０．１５／０．２＝０．７５に設定すればよいことになる。
【００６６】
ところで、光ピックアップ１の１／２波長板５を回転させる角度と偏光ビームスプリッタ８の光透過率との関係は予め一意的に決まっているため（図５）、光透過率（例えば０．７５）を決めれば、１／２波長板５の回転角度θ（例えば２６度）を一意的に決めることができる。
【００６７】
そのため、所定の光結合効率Ｆにおける有効利用率βと光ピックアップ１の１／２波長板５の回転角度θとの関係を、図１０に示すような特性曲線Ｓとして予め作成している。
【００６８】
実際に光ピックアップ１は、特性曲線Ｓ（図１０）を用いることによって、有効利用率β（例えば０．２）に基づいて１／２波長板５の回転角度θ（例えば２６度）を決定し、次のステップＳＰ２３へ移る。
【００６９】
ステップＳＰ２３において光ピックアップ１は、ステップＳＰ３及びＳＰ１３と同様に、光集積素子２内のベース板２Ａに部品取付部材２Ｂがモールド成型されたパッケージ２Ｃに対し、レーザダイオード３、立ち上げミラー４、フォトディテクタ１７及び１８、リッド１９が取り付けられて、次のステップＳＰ２４へ移る。
【００７０】
ステップＳＰ２４において光ピックアップ１は、ステップＳＰ２２において決定した回転角度θ（例えば２６度）だけ１／２波長板５を回転させて取付固定し、次のステップＳＰ２５へ移る。
【００７１】
このとき光ピックアップ１は、回転角度θ（例えば２６度）だけ１／２波長板５を回転させることによって、偏光ビームスプリッタ８の光透過率をレーザダイオード３の特性に合わせた最適な値（例えば０．７５）に設定することができ、その結果、所定の光結合効率Ｆ（例えば０．１５）を得ることができる。
【００７２】
ステップＳＰ２５において、ステップＳＰ６と同様に光ピックアップ１にモールド複合素子６（図１）等の他の各部品を取り付けることによって組立を終了し、次のステップＳＰ２６へ移って当該光ピックアップ組立調整手順を終了する。
【００７３】
以上の構成において、光ピックアップ１は、レーザダイオード３の特性であるファーフィールドパターンを用いて有効利用率βを算出し、予め作成された有効利用率βと１／２波長板５の回転角度θとの関係を表す特性曲線Ｓを用いることによって、当該有効利用率βから１／２波長板５の回転角度θを決定することができるので、所定の光結合効率Ｆを確実に得ることができる。
【００７４】
また光ピックアップ１は、レーザダイオード３の製造時に測定されたファーフィールドパターンと予め作成された特性曲線Ｓとを用いるだけで１／２波長板５の回転角度θを決定することができるので、当該回転角度θを決めるために改めて測定や調整を行うといった手間をかけることなく、計算のみによって最適な１／２波長板５の回転角度θを得ることができ、その結果、所定の光結合効率Ｆを確実に得ることができる。
【００７５】
以上の構成によれば、光ピックアップ１は、レーザダイオード３のファーフィールドパターンから算出した有効利用率βと予め作成された特性曲線Ｓとのみを用いることによって、１／２波長板５の回転角度θを決定することができるので、組立時の測定や調整等の手間をかけることなく所定の光結合効率Ｆを確実に得ることができ、信号記録時に必要な光量を出射し得ると共に再生時に出射する光量を減らした場合でも相対レーザノイズを少なくすることができ、再生信号の品質の低下を防止することができる。
【００７６】
（４）他の実施の形態
（４−１）
なお上述の第１及び第２の実施の形態においては、偏光ビームスプリッタ８を透過した後の光ビームの光量を測定する際に、実際に光ピックアップ１を構成するエキスパンダ１２等の光学部品を使用するようにした場合について述べたが、本発明はこれに限らず、当該エキスパンダ１２等の光学部品を取り付ける前の状態で光量を測定するようにしても良い。
【００７７】
例えば図３との対応部分に同一符号を付して示す図１１において、図３（Ａ）と全く同様の図１１（Ａ）に示すように、光ピックアップ１のレーザダイオード３から出射された出射光ビームＬ１の光量（第１の光量）を光量測定器３１によって測定し、偏光ビームスプリッタ３２を透過した後の出射光ビームＬ１の光量（第２の光量）を測定する際に（図１１（Ｂ））、アナモプリズム１１、エキスパンダ１２、１／４波長板１３、アパーチャ１４及び対物レンズ１５を使用せず、第２の光量を直接光量測定器３１によって測定するようになされている。
【００７８】
このとき光ピックアップ１は、アパーチャ１０に代えてアパーチャ１０及び１４の機能を合わせた調整用アパーチャ２１（図１１（Ｂ））を用いることによって、対物レンズ１５（図３（Ｂ））から照射される出射光ビームＬ１と同等の光量を透過するようになされている。
【００７９】
その結果、光ピックアップ１のアナモプリズム１１から対物レンズ１５までの光学部品（図３（Ｂ））を使用することなく、容易に第２の光量を測定し、当該光学部品を使用した場合と同等の測定結果を得ることができる。
【００８０】
（４−２）
また上述の第１及び第２の実施の形態においては、光集積素子２を用いた光ピックアップ１（図１）に適用するようにした場合について述べたが、本発明はこれに限らず、個別の素子の組み合わせによって構成される光ピックアップに適用するようにしても良い。
【００８１】
例えば図１との対応部分に同一符号を付して示す図１２において、光ピックアップ４０は、レーザダイオード４１から出射される出射光ビームＬ１１を、コリメータレンズ９、アパーチャ１０、１／２波長板５、グレーティング４２、アナモプリズム１１を順次介し、偏光ビームスプリッタ３２へ入射させる。ここで光ピックアップ４０は、偏光ビームスプリッタ３２によって、入射された光を透過及び反射させ、このとき透過した光ビームＬ１２を、エキスパンダ１２、１／４波長板１３、アパーチャ１４、対物レンズ１５を順次介して、光ディスク２０へ照射する。
【００８２】
続いて光ピックアップ４０は、光ビームＬ１２が光ディスク２０によって反射された反射光ビームＬ１３を、対物レンズ１５、アパーチャ１４、１／４波長板１３、エキスパンダ１２を介して偏光ビームスプリッタ３２へ入射させる。ここで光ピックアップ４０は、偏光ビームスプリッタ３２によって反射光ビームＬ１３が全て反射された光ビームＬ１４を、集光レンズ４５、ホログラム４６、シリンドリカルレンズ４７を順次介してフォトディテクタ４８へ照射し、再生信号等の検出を行うようになされている。
【００８３】
また光ピックアップ４０は、光ビームＬ１１が偏光ビームスプリッタ３２によって反射された光ビームＬ１５を、集光レンズ４３を介してフォトディテクタ４４へ照射し、このとき検出した光量に基づいてレーザダイオード４１から出射する出射光ビームＬ１の光量を一定に制御するようになされている。
【００８４】
ところで光ピックアップ４０は、光ピックアップ１（図１）と同様に、図２の光ピックアップ組立調整手順と同様の手順によって、レーザダイオード４１の個々に異なる特性に応じて１／２波長板５の回転角度を調整するようになされている。
【００８５】
まず光ピックアップ４０は、図３（Ａ）と対応する図１３（Ａ）に示すように、レーザダイオード４１から出射される光量Ｐ１１を光量測定器３１によって測定し、次に図３（Ｂ）と対応する図１３（Ｂ）に示すように、偏光ビームスプリッタ３２を含む各光学部品を透過する光量Ｐ１２を光量測定器３１によって測定しながら、光量Ｐ１１と光量Ｐ１２との比率が所定の値となるように１／２波長板５の回転角度を調整する。
【００８６】
その結果光ピックアップ４０は、光ピックアップ１と同様に、レーザダイオード４１から出射される光量Ｐ１１と偏光ビームスプリッタ３２を透過する光量Ｐ１２との比率を所定の値に合わせることができ、レーザダイオード４１の発散角のばらつきに関わらず、当該光ピックアップ４０の光結合効率を一定の値に合わせることができる。
【００８７】
さらに光ピックアップ４０は、光ピックアップ１と同様、図１１及び図１３と対応する図１４に示すように、偏光ビームスプリッタ３２を透過する光量Ｐ１２を測定する際に、エキスパンダ１２から対物レンズ１５までの光学部品を省略してアパーチャ１０及び１４の代わりに調整用アパーチャ２１を使用するようにしても良く（図１４（Ｂ））、この場合、より簡易な構成で偏光ビームスプリッタ３２を透過する光量Ｐ１２を測定でき、当該光学部品を使用した場合と同等の測定結果を得ることができる。
【００８８】
（４−３）
さらに上述の実施の形態においては、第１の光量測定ステップとしてのステップＳＰ２と、第２の光量測定ステップとしてのステップＳＰ４と、光量比率調整ステップとしてのステップＳＰ４とによって光ピックアップ調整方法を構成する場合について述べたが、本発明はこれに限らず、その他種々の構成でなる第１の光量測定ステップと、第２の光量測定ステップと、光量比率調整ステップとによって光ピックアップ調整方法を構成するようにしても良い。
【００８９】
さらに上述の実施の形態においては、第１の傾き算出ステップとしてのステップＳＰ１２と、第２の傾き算出ステップとしてのステップＳＰ１４と、傾き比率調整ステップとしてのステップＳＰ１４とによって光ピックアップ調整方法を構成する場合について述べたが、本発明はこれに限らず、その他種々の構成でなる第１の傾き算出ステップと、第２の傾き算出ステップと、傾き比率調整ステップとによって光ピックアップ調整方法を構成するようにしても良い。
【００９０】
さらに上述の実施の形態においては、有効利用率算出ステップとしてのステップＳＰ２１と、回転角度決定ステップとしてのステップＳＰ２２と、波長板固定ステップとしてのステップＳＰ２４とによって光ピックアップ調整方法を構成する場合について述べたが、本発明はこれに限らず、その他種々の構成でなる有効利用率算出ステップと、回転角度決定ステップと、波長板固定ステップとによって光ピックアップ調整方法を構成するようにしても良い。
【００９１】
さらに上述の実施の形態においては、光源としてのレーザダイオード３と、波長板としての１／２波長板５と、偏光ビームスプリッタとしての偏光ビームスプリッタ８と、第１のアパーチャとしてのアパーチャ１０と、第２のアパーチャとしてのアパーチャ１４とによって光ピックアップを構成する場合について述べたが、本発明はこれに限らず、その他種々の構成でなる光源と、波長板と、偏光ビームスプリッタと、第１のアパーチャと、第２のアパーチャとによって光ピックアップを構成するようにしても良い。
【産業上の利用可能性】
【００９２】
本発明は、Blu-ray Disc（登録商標）等のように青紫色レーザを使用する光ディスク記録再生装置に適用できる。
【図面の簡単な説明】
【００９３】
【図１】実施の形態における光ピックアップの構成を示す略線図である。
【図２】第１の実施の形態における光ピックアップ組立調整手順を示すフローチャートである。
【図３】実施の形態における１／２波長板の調整の説明に供する略線図である。
【図４】光源の偏光方向と１／２波長板の光学軸との関係の説明に供する略線的斜視図である。
【図５】１／２波長板の回転角度と偏光ビームスプリッタの光透過率との関係を示す略線図である。
【図６】第２の実施の形態における光ピックアップ組立調整手順を示すフローチャートである。
【図７】レーザダイオードの駆動電流−光量特性及び温度変化を示す略線図である。
【図８】レーザダイオードの種類と駆動電流−光量特性の温度変化の説明に供する略線図である。
【図９】第３の実施の形態における光ピックアップ組立調整手順を示すフローチャートである。
【図１０】有効利用率と回転角度との関係を示す略線図である。
【図１１】他の実施の形態における１／２波長板の調整（１）の説明に供する略線図である。
【図１２】他の実施の形態における光ピックアップの構成を示す略線図である。
【図１３】他の実施の形態における１／２波長板の調整（２）の説明に供する略線図である。
【図１４】他の実施の形態における１／２波長板の調整（３）の説明に供する略線図である。
【図１５】従来の光ピックアップの構成を示す略線図である。
【図１６】レーザダイオードのファーフィールドパターンの説明に供する略線的斜視図である。
【図１７】レーザダイオードの発散角の説明に供する略線図である。
【図１８】レーザダイオードの元出射パワーと相対レーザノイズとの関係を示す略線図である。
【符号の説明】
【００９４】
１、４０……光ピックアップ、２……光集積素子、３、４１……レーザダイオード、５……１／２波長板、８、３２……偏光ビームスプリッタ、９……コリメータレンズ、１０、１４……アパーチャ、１５……対物レンズ、２０……光ディスク、２１……調整用アパーチャ、３１……光量測定器。
【図１】
2005135491.tif 000003
【図２】
2005135491.tif 000004
【図３】
2005135491.tif 000005
【図４】
2005135491.tif 000006
【図５】
2005135491.tif 000007
【図６】
2005135491.tif 000008
【図７】
2005135491.tif 000009
【図８】
2005135491.tif 000010
【図９】
2005135491.tif 000011
【図１０】
2005135491.tif 000012
【図１１】
2005135491.tif 000013
【図１２】
2005135491.tif 000014
【図１３】
2005135491.tif 000015
【図１４】
2005135491.tif 000016
【図１５】
2005135491.tif 000017
【図１６】
2005135491.tif 000018
【図１７】
2005135491.tif 000019
【図１８】
2005135491.tif 000020